(57)【要約】【課題】遠近照明を具える自転車灯装置を提供する。【解決手段】本発明の遠近照明を具える自転車灯装置は、一端に収容空間を有し、該収容空間内に第１表面及び第２表面を有する主体と、該主体の収容空間に設置され、該第２表面に対応するレンズと、該収容空間の第１表面に設置される下方発射光源であり、該下方発射光源の一部の光線の投射経路が斜め方向に該収容空間を通過し、近い灯照明範囲を形成する下方発射光源と、該収容空間の第２表面に設置される直射光源であり、且つ該直射光源の光線投射経路は、該レンズを通過し、遠い灯照明範囲を形成する直射光源と、を含む。【選択図】図１
2014164810.tif 000002
【特許請求の範囲】
【請求項１】
一端に収容空間を有し、該収容空間内に第１表面及び第２表面を有する主体と、
該主体の収容空間に設置され、該第２表面に対応するレンズと、
該収容空間の第１表面に設置される下方発射光源であり、該下方発射光源の一部の光線の投射経路が斜め方向に該収容空間を通過し、近い灯照明範囲を形成する下方発射光源と、
該収容空間の第２表面に設置される直射光源であり、且つ該直射光源の光線投射経路は、該レンズを通過し、遠い灯照明範囲を形成する直射光源と、
を含む遠近照明を具える自転車灯装置。
【請求項２】
前記レンズは、単凸レンズ、双凸レンズ又はフレネルレンズ(Fresnel lens)の何れか１つである請求項１に記載の遠近照明を具える自転車灯装置。
【請求項３】
前記レンズは、全反射式レンズ（TIR lens）であり、且つ該主体の収容空間内に下方発射光源に対応する反射面を設置し、該下方発射光源のもう１つの部分の光線は、該反射面を経て反射し、該収容空間外に通過して近い灯の照明範囲を形成する請求項１に記載の遠近照明を具える自転車灯装置。
【請求項４】
前記全反射式レンズは、平坦面を有し、且つ該主体の収容空間内に該平坦面に対応する第３表面を設け、該全反射式レンズの平坦面を該第３表面に設置する請求項３に記載の遠近照明を具える自転車灯装置。
【請求項５】
前記第１表面及び該第２表面は、２７０度の挟角を呈し、隣り合って設置される形態であり、該第２表面及び該第３表面は、９０度の挟角を呈し、隣り合って設置される形態である請求項４に記載の遠近照明を具える自転車灯装置。
【請求項６】
前記第１表面及び該第２表面は、挟角を呈し、互いに連なって設置され、且つ該第１表面及び該第２表面は、９０度又は２７０度の挟角を呈し、隣り合って設置される形態である請求項１又は請求項２に記載の遠近照明を具える自転車灯装置。
【発明の詳細な説明】
【技術分野】
【０００１】
本発明は、遠近照明を具える自転車灯装置に関し、特に、その技術において、光源、反射マスク又は灯マスクを移動する必要がなく、使用の必要に応じて近い灯照明に切り換え、遠い灯照明に切り換えた状態で依然として近い灯照明を有することができる遠近照明を具える自転車灯装置に関する。
【背景技術】
【０００２】
車両灯製品を自転車上に取り付け、自転車の騎乗の安全を確保することは、自発的防護方式の１つとしてよく見られ、主に、周囲の環境が暗く、光線が不足することを回避し、車両灯を介し、進行路線を照らし、他人に注意を促し、自転車に騎乗する安全性を向上させている。特に、自転車前方に取り付ける自転車前灯は、進行路線全体の主要な照明源が自転車前灯に依頼され、一般に自転車灯の多くは、単一光源により照明を提供し、自転車前方位置の近くを照明することのみ可能であり、実際の使用時依然として不足の欠陥を有する。
【０００３】
市場において、多くの遠近光照明範囲を有する自転車灯が開発されているが、照明範囲の調整は、主に光源、反射マスク又は灯マスク等を移動する方式があり、光源及び反射マスクの両者の相対距離を調整するか、灯マスク及び光源の間の相対距離を調整することにより、光源が反射マスク又は灯マスクに進入する入射角を変化させ、相対して反射マスク又は灯マスクを経た後の反射角も変化し、遠近灯の照明範囲の調整を達成し、例えば、中華民国第Ｍ４０２２４５、Ｍ３３７５１５等の実用新案専利は、光源、反射マスク、又は灯マスク等を移動する方式を使用し、何れも構造が複雑で、長期の反復移動で滑動移動が生じ、構造の摩耗が急速になる等の問題を有し、更に、移動後にその定位が不確実になり、騎乗の過程において、道路状況が平滑でないことにより、構造に滑動移動が生じ、適当な照明範囲を正確に提供することができない。
【０００４】
本願の発明者は、自転車灯の開発及び設計を行い、２種の光源を介し、それぞれ近い、遠い灯を投射し、遠い灯の光束を投射する経路にレンズを取り付け、遠近灯照明の効果を増加させ、上記従来の技術における光源、反射マスク又は灯マスク等を移動する方式と異なり、進歩性、実用性を有する発明となっている。
【先行技術文献】
【特許文献】
【０００５】
【特許文献１】実用新案公開平６−８５１８６号公報
【発明の概要】
【発明が解決しようとする課題】
【０００６】
本発明の目的は、その構造設計及び各部材の配置等方式を介し、遠近照明の照明範囲を制御することができ、従来技術中の光源、反射マスク又は灯マスクの相互の間の距離を調整するものと異なり、進歩性及び実用性を有する発明となっている遠近照明を具える自転車灯装置を提供することである。
【０００７】
本発明のもう１つの目的は、遠い灯照明に調整して使用する時、その近い灯が同様に近い距離の照明を提供することができるので、遠い照明モードにおいて、依然として近い灯の照明範囲を保有し、自転車前方の道路状況を即時察知でき、遠い灯が他人の注意を促すとともに、遠方の道路状況を照明する遠近照明を具える自転車灯装置を提供することである。
【課題を解決するための手段】
【０００８】
上記目的及び効果を達成する為、本発明の遠近照明を具える自転車灯装置は、一端に収容空間を有し、該収容空間内に第１表面及び第２表面を有する主体と、該主体の収容空間に設置され、該第２表面に対応するレンズと、該収容空間の第１表面に設置される下方発射光源であり、該下方発射光源の一部の光線の投射経路が斜め方向に該収容空間を通過し、近い灯照明範囲を形成する下方発射光源と、該収容空間の第２表面に設置される直射光源であり、且つ該直射光源の光線投射経路は、該レンズを通過し、遠い灯照明範囲を形成する直射光源と、を含む。
【０００９】
本発明の遠近照明を具える自転車灯装置において、該レンズは、単凸レンズ、双凸レンズ又はフレネルレンズ(Fresnel lens)の何れか１つである。
【００１０】
本発明の遠近光灯を具える自転車灯において、該レンズは、全反射式レンズ（TIR lens）であり、且つ該主体の収容空間内に下方発射光源に対応する反射面を設置し、該下方発射光源のもう１つの部分の光線は、該反射面を経て反射し、該収容空間外に通過して近い灯の照明範囲を形成する。該全反射式レンズは、平坦面を有し、且つ該主体の収容空間内に該平坦面に対応する第３表面を設け、該全反射式レンズの平坦面を該第３表面に設置する。
【００１１】
本発明の遠近照明を具える自転車灯装置において、該直射光源及び該下方発射光源は、ＬＥＤ発光ダイオードである。
【００１２】
本発明の遠近照明を具える自転車灯装置において、該第１表面及び該第２表面は、挟角を呈し、互いに連なって設置される。該第１表面及び該第２表面は、９０度又は２７０度の挟角を呈し、隣り合って設置される形態である。該第２表面及び該第３表面は、９０度の挟角を呈し、隣り合って設置される形態である。
【発明の効果】
【００１３】
本発明の遠近照明を具える自転車灯装置は、その構造設計及び各部材の配置等方式を介し、遠近照明の照明範囲を制御することができ、従来技術中の光源、反射マスク又は灯マスクの相互の間の距離を調整するものと異なり、進歩性及び実用性を有する。
【図面の簡単な説明】
【００１４】
【図１】本発明の立体説明図である。
【図２】本発明の近い照明範囲の説明図である。
【図３】本発明の遠い照明範囲の説明図である。
【図４】本発明のレンズが双凸レンズである立体説明図である。
【図５】本発明の双凸レンズの近い照明範囲の説明図である。
【図６】本発明の双凸レンズの遠い照明範囲の説明図である。
【図７】本発明のレンズがフレネルレンズである立体説明図である。
【図８】本発明のフレネルレンズの近い照明範囲の説明図である。
【図９】本発明のフレネルレンズの遠い照明範囲の説明図である。
【図１０】本発明のレンズが全反射式レンズである立体説明図である。
【図１１】本発明の全反射式レンズの近い照明範囲の説明図である。
【図１２】本発明の全反射式レンズの遠い照明範囲の説明図である。
【図１３】本発明のレンズがもう１つの全反射式レンズの立体説明図である。
【図１４】本発明のもう１つの全反射式レンズの近い照明範囲の説明図である。
【図１５】本発明のもう１つの全反射式レンズの遠い照明範囲の説明図である。
【発明を実施するための形態】
【００１５】
以下に好適実施形態により説明を行うが、本発明に対し、如何なる形式上の制限を加えるものではなく、図１〜図３に示すように、本発明の遠近照明を具える自転車灯装置は、一端に収容空間１１を有し、該収容空間１１内に第１表面及１２び第２表面１３を有する主体１と、該主体１の収容空間１１に設置され、該第２表面１３に対応するレンズ２と、該収容空間１１の第１表面１２に設置される下方発射光源３であり、該下方発射光源２の一部の光線の投射経路が斜め方向に該収容空間１１を通過し、近い灯照明範囲を形成する下方発射光源３と、該収容空間１１の第２表面１３に設置される直射光源４であり、且つ該直射光源４の光線投射経路は、該レンズ２を通過し、遠い灯照明範囲を形成する直射光源４と、を含む。該直射光源４及び下方発射光源３は、ＬＥＤ発光ダイオードである。
【００１６】
本発明が照明に使用され且つ近照明状態である時、図２に示すように、この時、該下方発射光源３は、一部の光線が点線の線分及び矢印で呈現するよう動作し、且つ該下方発射光源３の投射経路は、斜め向きに該収容空間１１を通過し、近い灯照明範囲を形成する。本発明が遠い灯状態である時、図３に示すように、該直射光源４が投射する光線経路は、該レンズ２に至り、該レンズ２は、から透過される光束は、遠い灯照明範囲を形成する。前記説明から分かるように、本発明は、該下方発射光源３及び該直射光源４の投射光束がそれぞれ近い灯照明及び遠い灯照明となり、使用者に環境、個人の要求に応じて選択使用させることができ、遠近照明の照明範囲を制御し、従来技術の光源、反射マスク又は灯マスクの相互の間の距離を調整することと異なり、本発明の目的及び効果を達成し、従来の移動式構造における構造が複雑であり、摩耗が速い等の問題を回避し、従来技術が移動後の低が不確実で適当な照明範囲を提供することができない等の欠陥を有さない。
【００１７】
図３を参照し、本発明は、遠い等照明状態において、該下方発射光源３は、依然として近い灯照明の範囲を投射し、このように、遠い灯照明状態において、依然として近い灯照明を提供することができ、進行中の前方の道路状況を即時に観察でき、遠い灯照明に切り換えたことにより近い照明の機能を失うことがなく、実用性を極めて有する遠近照明を具える自転車灯装置となっており、これにより、本発明のもう１つの目的を達成する。
【００１８】
本発明は、以下に挙げる幾つかの実施例では、ただ異なる箇所の身を説明し、上記と同一の箇所は、再度記載しない。上記に挙げるレンズ２は、単凸レンズを例としているが、双凸レンズ２１（図４〜図６参照）、フレネルレンズ２２（Fresnel lens、図７〜図９参照）を採用することもできる。本発明の該第１表面１２及び該第２表面１３は、挟角が互いに連なって設置される。該第１表面１２及び該第２表面１３は、９０度を呈して設置される形態であり（図２、図５、図８参照）、且つ該下方発射光源３及び該直射光源４は、隣り合う９０度の挟角を呈して設定される形態である。
【００１９】
図１０〜図１２に示すように、本発明のレンズは、全反射式レンズ２３（TIR lens）を採用し、且つ該主体１０の収容空間１１０内に下方発射光源３０に対応する反射面５を設置し、該下方発射光源３０のもう１つの部分の光線は、該反射面５の反射を経て該収容空間１１０外へ通過し、近い灯の照明範囲を形成し、図１１の点線及び矢印に示すようである。
【００２０】
また、図１３〜図１５に示すように、更に、該全反射式レンズ２３の周側に平坦面２３１を設け、且つ該主体１０の収容空間１１０内に該平坦面２３１に対応する第３表面１４０を設け、該全反射式レンズ２３の平坦面２３１は、該第３表面１４０に設置され、それは、前記図１１と比較し、全反射式レンズ２３上半部の体積を削減し、これにより、図１４中の全反射レンズ２３は、上半部の体積を削減後、連帯してその相対して組み立てられる主体１０も体積を縮小できる。上記全反射式レンズ２３は、該主体１０との組み立てにおいて、該第１表面１２０及び該第２表面１３０は、２７０度の挟角を呈して隣り合わせに設定される形態であり、該第２表面１２０及び該第３表面１３０は、９０度の挟角を呈し、隣り合って設置される形態である。
【００２１】
上記に列挙される各式レンズ２（単凸レンズ）、双凸レンズ２１、フレネルレンズ２２及び全反射式レンズ２３は、ただ光線が各該レンズを経て光線を集中すれば、何れも、光束を前方へ向けて遠い灯照明範囲へ投射することができるので、上記に開示する各式レンズは、これに制限するものではなく、光線を集中し光束を投射できるものであれば、何れも本願が保護を欲する範囲である。
【００２２】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００２３】
１  主体
１０  主体
１１  収容空間
１１０  収容空間
１２  第１表面
１２０  第１表面
１３  第２表面
１３０  第２表面
１４０  第３表面
２  レンズ
２１  双凸レンズ
２２  フレネルレンズ
２３  全反射式レンズ
２３１  平坦面
３  下方発射光源
３０  下方発射光源
４  直射光源
４０  直射光源
５  発射面
【図１】
2014164810.tif 000003
【図２】
2014164810.tif 000004
【図３】
2014164810.tif 000005
【図４】
2014164810.tif 000006
【図５】
2014164810.tif 000007
【図６】
2014164810.tif 000008
【図７】
2014164810.tif 000009
【図８】
2014164810.tif 000010
【図９】
2014164810.tif 000011
【図１０】
2014164810.tif 000012
【図１１】
2014164810.tif 000013
【図１２】
2014164810.tif 000014
【図１３】
2014164810.tif 000015
【図１４】
2014164810.tif 000016
【図１５】
2014164810.tif 000017